(57)【要約】      （修正有）【課題】コンピュータシステムにおいて書類のプリントの管理に用いられるプリント管理システムを提供する。【解決手段】プリント管理システムにはプリントモジュール及びフィルターモジュールが含まれる。プリントモジュールはプリセットのプリント設定を有しており、かつコンピュータシステムの制御を受け、当面のプリント設定にしたがって書類をプリントする。フィルターモジュールはプリントモジュールに結合方式で接続されており、かつ当面のプリント設定がプリセットのプリント設定に符合するか否かを判断するのに用いられ、もし符合しなければ警告メッセージを出し、かつ当面のプリント設定をプリセットのプリント設定に還元する。【選択図】図１
0003139859.tif 000002
【実用新案登録請求の範囲】
【請求項１】
コンピュータシステム（Ｃｏｍｐｕｔｅｒ ｓｙｓｔｅｍ）の中で書類のプリントを管理するためのプリント管理システムにおいて、
プリセットのプリント設定（Ｄｅｆａｕｌｔ ｐｒｉｎｔ ｓｅｔｔｉｎｇ）を有しており、かつ前記コンピュータシステムの制御を受けて当面のプリント設定にしたがって前記書類をプリントするプリントモジュール（Ｐｒｉｎｔ ｍｏｄｕｌｅ）と、
前記プリントモジュールに結合方式で接続されており、前記当面のプリント設定が前記プリセットのプリント設定に符合するか否かを判断し、もし符合しなければ、警告メッセージを出し、かつ前記当面のプリント設定を前記プリセットのプリント設定に還元するフィルターモジュール（Ｆｉｌｔｅｒ ｍｏｄｕｌｅ）と、
を具備するプリント管理システム。
【請求項２】
前記プリセットのプリント設定には少なくとも一つの第一プリンター及び第一プリント部数を有し、前記当面のプリント設定には第二プリンター及び第二プリント部数を有する請求項１に記載のプリント管理システム。
【請求項３】
もし前記第二プリンターが前記少なくとも一つの第一プリンターから選択されたものでなければ、前記フィルターモジュールにより前記当面のプリント設定が前記プリセットのプリント設定に符合しないと判断される請求項２に記載のプリント管理システム。
【請求項４】
もし前記第二プリント部数が前記第一プリント部数より大きければ、前記フィルターモジュールにより前記当面のプリント設定が前記プリセットのプリント設定に符合しないと判断される請求項２に記載のプリント管理システム。
【請求項５】
前記第二プリンターがファイルプリンターである請求項２に記載のプリント管理システム。
【請求項６】
サーバーが通信ネットワークを用いて前記コンピュータシステムと接続され、前記サーバーは前記通信ネットワークを経由して前記プリントモジュールの前記プリセットのプリント設定を変更できる請求項１に記載のプリント管理システム。
【請求項７】
前記通信ネットワークは下記グループ、
ローカルエリアネットワーク（Ｌｏｃａｌ ａｒｅａ ｎｅｔｗｏｒｋ）、企業内ネットワーク（Ｉｎｔｒａｎｅｔ）、インターネット（Ｉｎｔｅｒｎｅｔ）、無線ネットワーク（Ｒａｄｉｏ ｔｅｌｅｃｏｍｍｕｎｉｃａｔｉｏｎ ｎｅｔｗｏｒｋ）及び公衆電話交換網（Ｐｕｂｌｉｃ ｓｗｉｔｃｈｅｄ ｔｅｌｅｐｈｏｎｅ ｎｅｔｗｏｒｋ）、
のいずれかから選択される請求項６に記載のプリント管理システム。
【請求項８】
前記コンピュータシステムは前記プリセットのプリント設定、前記当面のプリント設定及び前記警告メッセージを表示するための表示モジュールを具備する請求項１に記載のプリント管理システム。
【請求項９】
前記プリントモジュールにはさらに選択可能なプリンターリストを有し、前記第二プリンターは前記選択可能なプリンターリストから選択され、もし前記選択可能なプリンターリストに含まれる第三プリンターが前記プリセットプリント設定の前記少なくとも一つの第一プリンターから選択されたものでなければ、前記フィルターモジュールは選択可能な前記プリンターリストから前記第三プリンターを削除する請求項２に記載のプリント管理システム。
【考案の詳細な説明】
【技術分野】
【０００１】
本考案はプリント管理システム（Ｐｒｉｎｔｉｎｇ ｍａｎａｇｅｍｅｎｔ ｓｙｓｔｅｍ）に関しており、特に強制的にプリセットのプリント設定にしたがって書類のプリントを行うことが可能なプリント管理システムに関する。
【背景技術】
【０００２】
著作権侵害の問題を解決するために、デジタル著作権管理（Ｄｉｇｉｔａｌ ｒｉｇｈｔｓ ｍａｎａｇｅｍｅｎｔ、ＤＲＭ）関連技術は現在各分野において幅広く活用されている。デジタル著作権管理とは、主にデジタル資料のネットワークでの不法配布を管制するためのものであり、著作権者からのライセンスを取得した使用者だけが著作権者が事前に同意した使用範囲と期限に基づいてデジタル情報を利用可能になり、ライセンスを取得していない使用者はデジタル情報を利用、ひいてはアクセスできないようになる。
【考案の開示】
【考案が解決しようとする課題】
【０００３】
ところが、通常もしデジタル著作権の管理保護を受けている書類が使用者にプリントを実行可能な状態になっていれば、使用者は書類を複数部プリントすることにより、あるいはファイルにプリントする方法にて書類を不法配布することが可能になる。
【０００４】
したがって、本考案の主な目的はプリント管理システムを提供することにより上記問題を解決することにある。
【課題を解決するための手段】
【０００５】
本考案の一つの目的はプリント管理システムを提供することにあり、当該プリント管理システムではフィルターモジュール（Ｆｉｌｔｅｒ ｍｏｄｕｌｅ）を用いて当面のプリント設定がプリセットのプリント設定（Ｄｅｆａｕｌｔ ｐｒｉｎｔ Ｓｅｔｔｉｎｇ）に符合するか否かを判断し、もし符合しなければ警告メッセージを出し、かつ当面のプリント設定をプリセットのプリント設定に還元する。これにより、使用者が書類を複数部プリントするか、あるいはファイルにプリントする方法を用いて書類を不法配布することを防止できる。
【０００６】
好適な具体的な実施例により、本考案のプリント管理システムはコンピュータシステムにおいて書類のプリントの管理に用いられる。プリント管理システムにはプリントモジュール及びフィルターモジュールが含まれる。プリントモジュールはプリセットのプリント設定を有しており、かつコンピュータシステムの制御を受け、当面のプリント設定にしたがって書類をプリントする。フィルターモジュールはプリントモジュールに結合方式で接続されており、かつ当面のプリント設定がプリセットのプリント設定に符合するか否かを判断するのに用いられ、もし符合しなければ警告メッセージを出し、かつ当面のプリント設定をプリセットのプリント設定に還元する。
【考案の効果】
【０００７】
したがって、本考案を基にする格納装置は、フィルターモジュールを用いて当面のプリント設定がプリセットのプリント設定に符合するか否かを判断し、もし符合しなければ警告メッセージを出し、かつ当面のプリント設定をプリセットのプリント設定に還元する。これにより、使用者が書類を複数部プリントするか、あるいはファイルにプリントする方法を用いて書類を不法配布することを防止できる。
【考案を実施するための最良の形態】
【０００８】
下記の本考案の詳細な説明及び付属の図面により、本考案の利点と精神についてさらなる理解に達成することができる。
【実施例】
【０００９】
図１を参照してください。図１は本考案を基にする一つの好適な具体的な実施例を示すプリント管理システム２の機能ブロック図である。この実施例では、本考案のプリント管理システム２はコンピュータシステム１において書類のプリントの管理に用いられる。図１で示しているように、プリント管理システム２にはプリントモジュール２０及びフィルターモジュール２２が含まれる。プリントモジュール２０はプリセットのプリント設定２００を有する。プリントモジュール２０はコンピュータシステム１の制御を受けて、当面のプリント設定２０２にしたがって書類をプリントする。フィルターモジュール２２はプリントモジュール２０に結合方式で接続されており、当面のプリント設定２０２がプリセットのプリント設定２００に符合するか否かの判断に用いられ、もし符合しなければ警告メッセージを出し、かつ当面のプリント設定２０２をプリセットのプリント設定２００に還元する。
【００１０】
図１で示しているように、この実施例では、プリセットのプリント設定２００に最小限一つの第一プリンター２０００及び第一プリント部数２００２が含まれており、かつ当面のプリント設定２０２には第二プリンター２０２０及び第二プリント部数２０２２が含まれている。
【００１１】
もし第二プリンター２０２０が第一プリンター２０００から選択されていなければ、フィルターモジュール２２は当面のプリント設定２０２がプリセットのプリント設定２００に符合しないと判断する。実例で説明すると、第一プリンター２０００にプリンターＡ（表示されていない）、プリンターＢ（表示されていない）及びプリンターＣ（表示されていない）が含まれるとする。もし第二プリンターがプリンターＤ（表示されていない）であれば、プリンターＤは第一プリンター２０００の中から選択されたものではないため、フィルターモジュール２２は当面のプリント設定２０２がプリセットのプリント設定２００に符合しないと判断する。注意すべきことは、従来使用者は第二プリンター２０２０をファイルプリンターに設定することより、デジタル著作権の管理と管制を受ける書類をプリントすることによりデジタル著作権の管理と管制を受けない書類に変換することができる。したがって、この実施例では第一プリンター２０００にファイルプリンターを含まない。言い換えれば、もし第二プリンター２０２０がファイルプリンターである場合、フィルターモジュール２２は当面のプリント設定２０２がプリセットのプリント設定２００に符合しないと判断する。
【００１２】
実際の活用においては、プリントモジュール２０にはさらに選択可能なプリンターリスト（表示されていない）を含むことが可能で、選択可能なプリンターリストには書類をプリント可能な全てのプリンターが含まれる。第二プリンター２０２０は選択可能なプリンターリストの中から選出することができる。もし選択可能なプリンターリストに含まれる第三プリンター（表示されていない）がプリセットプリント設定の第一プリンター２０００から選択されたものでなければ、フィルターモジュール２２は第三プリンターを選択可能なプリンターリストから削除する。言い換えれば、フィルターモジュール２２の処理の後、選択可能なプリンターリストに含まれるプリンターはいずれもプリセットのプリント設定２００の第一プリンター２０００から選択されることになる。実例で説明すると、第一プリンター２０００にプリンターＡ（表示されていない）、プリンターＢ（表示されていない）及びプリンターＣ（表示されていない）が含まれ、選択可能なプリンターリストにはプリンターＡ（表示されていない）、プリンターＢ（表示されていない）及びプリンターＤ（表示されていない） が含まれとする。プリンターＤは第一プリンター２０００の中から選択されたものではないため、フィルターモジュール２２が選択可能なプリンターリストからプリンターＤを削除する。フィルターモジュール２２の処理の後、選択可能なプリンターリストにはプリンターＡ及びプリンターＢが含まれる。これにより、使用者が当面のプリント設定２０２として選択可能な第二プリンター２０２０はいずれも第一プリンター２０００から選択される。
【００１３】
もし第二プリント部数２０２２が第一プリント部数２００２より大きければ、フィルターモジュール２２は当面のプリント設定２０２がプリセットのプリント設定２００に符合しないと判断する。実例で説明すると、第一プリント部数２００２が１とする。もし第二プリント部数２０２２が１より大きいその他の数字、例えば３、５等であれば、フィルターモジュール２２は当面のプリント設定２０２がプリセットのプリント設定２００に符合しないと判断する。従来もし使用者がデジタル著作権の管理と管制を受ける書類をプリントを実行できるようになっていれば、使用者は書類を複数プリントする方式により書類を不法配布することができる。したがって、本発明を基にするプリント管理システムは規制を設けてプリント可能な部数を開放することが可能で、使用者が書類を複数部プリントする方式により書類を不法配布することを避けることが可能で、よって効果的に規制する効果を達成する。
【００１４】
実際の活用においては、サーバー３が通信ネットワーク５を用いてコンピュータシステム１と接続され、かつ通信ネットワーク５を経由してプリントモジュール２０のプリセットのプリント設定２００を変更できる。実際の活用においては、通信ネットワーク５はローカルエリアネットワーク（Ｌｏｃａｌ ａｒｅａ ｎｅｔｗｏｒｋ）、企業内ネットワーク（Ｉｎｔｒａｎｅｔ）、インターネット（Ｉｎｔｅｒｎｅｔ）、無線ネットワーク（Ｒａｄｉｏ ｔｅｌｅｃｏｍｍｕｎｉｃａｔｉｏｎ ｎｅｔｗｏｒｋ）、公衆電話交換網（Ｐｕｂｌｉｃ ｓｗｉｔｃｈｅｄ ｔｅｌｅｐｈｏｎｅ ｎｅｔＷｏｒｋ）あるいはその他の類似な通信ネットワークであることが可能である。
【００１５】
この実施例では、コンピュータシステム１はさらにプリセットのプリント設定２００、当面のプリント設定２０２及び警告メッセージ（表示されていない）の表示に用いる表示モジュール１０を含むことが可能である。
【００１６】
先行技術と比べて、本考案のプリント管理システムではフィルターモジュールを利用して当面のプリント設定がプリセットのプリント設定に符合するか否かを判断し、もし符合しなければ警告メッセージを出し、かつ当面のプリント設定をプリセットのプリント設定に還元する。これにより、使用者が書類を複数部プリントするか、あるいはファイルにプリントする方法を用いて書類を不法配布することを防止できる。
【００１７】
上記好適な具体的な実施例に対する詳細な説明は、本考案の特徴と精神をさらにはっきり記述することを希望することであって、上記で開示した好適な具体的な実施例をもって本考案の目的に対して限定するものではない。それとは逆に、その目的は様々な変更及び相等性を有するアレンジを本考案で出願しようとする実用新案登録の範囲の目的内に取り入れてカバーすることにある。したがって、本考案で出願する実用新案登録の範囲の目的は上記の説明を基に最も広い解釈をすべきであり、全ての可能な変更及び相等性を有するアレンジをカバーするものにすべきである。
【図面の簡単な説明】
【００１８】
【図１】本考案を基にする一つの好適な具体的な実施例を示すプリント管理システムの機能ブロック図である。
【符号の説明】
【００１９】
１：コンピュータシステム   ２：プリント管理システム
３：サーバー                             ５：通信ネットワーク
２０：プリントモジュール   ２２：フィルターモジュール
２００：プリセットのプリント設定            ２０２：当面のプリント設定
２０００：第一プリンター   ２０２０：第一プリンター
２００２：第一プリント部数               ２０２２：第二プリント部数
【図１】
0003139859.tif 000003